(57)【特許請求の範囲】
【請求項１】
液体不使用型の容積測定装置であって、内側中空部（２）または壁状シートで両側に分離された内側中空部（２）を有する長尺管であるシリンダ（１）を備え、
シリンダ（１）の一方の開放端には、左ドア（４）が備えられ、もう一方の開放端には、右押込み棒（８）からの外力を支持する右押込み軸（７）の前後移動を支持する右ドア（５）が備えられ、
右押込み棒（８）は、その内側端部が右ドア（５）から挿入されて右押込み軸（７）の片側に取り付けられ、右押込み棒の外側端部から加えられる圧力からの押込みまたは引出しを支持する長尺棒であるところの、液体不使用型の容積測定装置において、
シリンダ（１）の内側中空部（２）には、測定対象物（３）が装填されるように支持し、右押込み軸（７）の前後移動からの圧力によって前後に動く圧力軸（６）が挿入され、
シリンダ（１）の外側には、光信号または音信号を送受信または誘起することが可能な器具または機器である移動距離送受信部（１０）が、間隔を置いて少なくとも２つ配置されかつ外部からの電圧によって動作し、さらに、移動距離送受信部（１０）には、圧力軸（６）の元の距離と変化後の距離との間の差異である距離を測定し、当該距離データを用いてシリンダ（１）の内側中空部（２）内に装填される測定対象物（３）の容積を計算する表示部または機器制御部が装着されている
ことを特徴とする液体不使用型の容積測定装置。
【請求項２】
シリンダ（１）の別の部分には、シリンダ（１）の内側中空部（２）内の圧力を制御するための内部圧力弁（１１）が少なくとも１つ備えられている、
請求項１に記載の液体不使用型の容積測定装置。
【請求項３】
シリンダ（１）の内側中空部（２）には、圧力軸（６）の代わりに、いくらかの厚みを有し、内側中空部（２）内の空間を左内側中空部（１３）と右内側中空部（１４）とに分離する内部分離エッジ（１２）が備えられ、
シリンダ（１）の外にある右押込み棒（８）の外側には、屈曲した長尺棒である右前後移動棒（１５）の一端が取り付けられ、前記右前後移動棒（１５）の他端が右移動測定部（１６）に取り付けられ、
右移動測定部（１６）は、シリンダ（１）の右側に装着され、外部からの電圧によって動作する器具または機器であり、さらに、右移動測定部（１６）には、右前後移動棒（１５）が右押込み棒（８）の前後移動による前後移動から生じる力を受けているときの右前後移動棒（１５）の前後移動量を測定する表示部または機器制御部が装着されている、
請求項１または２に記載の液体不使用型の容積測定装置。
【請求項４】
シリンダ（１）の左内側中空部（１３）内に挿入され、左押込み棒（１８）に対して作用する力から生じる前後移動を支持する左圧力軸（１７）が備えられ、
左押込み棒（１８）は、内側端部が左ドア（４）から挿入されて左圧力軸（１７）の片側に取り付けられ、左押込み棒（１８）の外側端部から伝達される圧力からの押込みまたは引出しを支持する長尺棒であり、
シリンダ（１）の外にある左押込み棒（１８）の外側には、屈曲した長尺棒である左前後移動棒（２０）の一端が取り付けられ、前記左前後移動棒（２０）は、他端が左移動測定部（２１）に取り付けられ、
左移動測定部（２１）は、シリンダ（１）の左側に装着され、外部からの電圧によって動作する器具または機器であり、さらに、左移動測定部（２１）には、左前後移動棒（２０）が左押込み棒（１８）の前後移動による前後移動から生じる力を受けているときの左前後移動棒（２０）の前後移動量を測定する表示部または機器制御部が装着されている、
請求項３に記載の液体不使用型の容積測定装置。
【請求項５】
左押込み棒（１８）の外側端部には、プレートまたはハンドルバーである左把持基部（１９）が備えられ、この左把持基部は、把持されるように構成されるまたは所望の部品に取り付けられ、左押込み棒（１８）を押し込むまたは引き出す圧力を加えるように構成される、
請求項４に記載の液体不使用型の容積測定装置。
【請求項６】
シリンダ（１）は、中間中空シリンダ（２２）を形成するように分離され、測定対象物（３）が装填される左内側中空シリンダ（２４）を有する左シリンダ（２３）と、測定対象物（３）が装填される右内側中空シリンダ（２６）を有する右シリンダ（２５）に分割され、
中間中空シリンダ（２２）には、左シリンダ（２３）と右シリンダ（２５）との間で空気を連通して、空気の吸排気を互いに移送する長尺管である空気連通シリンダ管（２７）が備えられている、
請求項３から５のいずれか一項に記載の液体不使用型の容積測定装置。
【請求項７】
空気連通シリンダ管（２７）の周囲には、空気連通シリンダ管（２７）内の空気流を制御するための空気制御弁（２８）が、少なくとも１つ備えられている、
請求項６に記載の液体不使用型の容積測定装置。
【請求項８】
左シリンダ（２３）の一部に、左圧力管（２９）の一端が連結され、前記左圧力管（２９）の他端が、左圧力真空計（３０）の入口と連結され、
左圧力真空計（３０）は、左導電線（３２）を介して左バッテリー（３１）から伝送される電力または外部電源から伝送される電力によって動作する計器であり、左内側中空シリンダ（２４）内の所望の環境における空気圧の測定結果を、左表示部（３３）を介して表示する、
請求項３から７のいずれか一項に記載の液体不使用型の容積測定装置。
【請求項９】
左圧力管（２９）の一部に、左圧力管（２９）の内部に空気を流動させるための左空気圧排出弁（３６）の出口と連結された開放端が設けられている、
請求項８に記載の液体不使用型の容積測定装置。
【請求項１０】
右シリンダ（２５）の一部に、右圧力管（３７）の一開放端が連結され、他端が、右圧力真空計（３８）の入口と連結され、
右圧力真空計（３８）は、右導電線（４０）を介して右バッテリー（３９）から伝送される電力または外部電源から伝送される電力によって動作する計器であり、右内側中空シリンダ（２６）内の所望の環境における空気圧の測定結果を、右表示部を介して表示する、
請求項３から９のいずれか一項に記載の液体不使用型の容積測定装置。
【請求項１１】
右圧力管（３７）の一部に、右圧力管（３７）の内部に空気を流動させるための右空気圧排出弁（４４）の出口と連結された開放端が設けられている、
請求項１０に記載の液体不使用型の容積測定装置。
【発明の詳細な説明】
【技術分野】
【０００１】
本技術は、液体不使用型の容積測定装置および密度計に関する。
【背景技術】
【０００２】
近年の容積測定装置および密度計は、幾何寸法に基づき計算する手法（例えば長方形など対象物の特定の幾何形状の一致に基づき測定）、または容器に入った液体中に所望の対象物を装填して置き換わった液体を計器で測定するという手法で、動作する。
【０００３】
上述の容積測定装置および密度計の特徴においては、測定される対象物の容積および密度の精度は非常に低く、得られた測定値は、高精度な測定が必要な作業には適さない。
【発明の概要】
【発明が解決しようとする課題】
【０００４】
本発明の目的は、測定対象物の容積を測定する液体不使用型の容積測定装置を提供することである。
【課題を解決するための手段】
【０００５】
液体不使用型の容積測定装置は、測定対象物を装填する管状シリンダを備え、管状シリンダは、押込み棒の前後移動を支持することにより圧力が伝達され前後移動可能になる内部押込み支持棒を有する。シリンダの外側に装備された信号送受信機により、前記押込み支持棒の前後移動距離を、元の距離と比較して測定する。シリンダは、分離した２つの部分を有し、各部分は、外力によって押し込みおよび引き出される内部押込み棒によって生じる入出圧力を支持し、間隔を置いて配置された少なくとも２つの距離計測部によって内部押込み棒の前後移動量を測定することによって、分離したシリンダの一方に配置された測定対象物を測定する。そして、これらの距離計測部によって、容積を求めるためのデータとしてシリンダ内の変化後の距離を計算し、少なくとも１つのシリンダの内部空気圧を圧力真空計に送信し、測定対象物の容積を計算する際の支持データとして、シリンダの内部圧力を数字または記号で表示する。
【図面の簡単な説明】
【０００６】
【図１】本発明による液体不使用型の容積測定装置および密度計を示す図である。
【図２】本発明の別の特徴による液体不使用型の容積測定装置および密度計を示す図である。
【図３】本発明の別の特徴による液体不使用型の容積測定装置および密度計を示す図である。
【発明を実施するための形態】
【０００７】
（発明の開示）
図１に、測定対象物３を装填する内側中空部２または壁状シートで両側に分離された内側中空部２を有する長尺管であるシリンダ１を備える、本発明の液体不使用型の容積測定装置および密度計が示されている。
【０００８】
シリンダ１の左開放端には、内側中空部２に装填された空気または測定対象物３が出ていくのを防止する左ドア４が備えられている。
【０００９】
シリンダ１の右開放端には、内側中空部２に装填された空気または測定対象物３が出ていくのを防止する右ドア５が備えられている。
【００１０】
シリンダ１の内側中空部２の別の部分には、圧力軸６が挿入されている。
【００１１】
圧力軸６は、内側中空部２に挿入された棒または厚いシートであり、外力からの押込みまたは引出しを支持する。
【００１２】
シリンダ１の内側中空部２の別の部分には、右押込み軸７が挿入されている。
【００１３】
右押込み軸７は、前後に動く軸であり、右押込み棒８の内側端部に取り付けられ、右押し込み棒８に対する外力からの押出しまたは引戻しを支持する。
【００１４】
右押込み棒８は、長尺棒であり、その内側端部が右ドア５から挿入されて右押込み軸７の片側に取り付けられ、右押込み棒８の外側端部から加えられる圧力からの押込みまたは引出しを支持する。
【００１５】
右押込み棒８の外側端部は、プレートまたはハンドルバーである右把持基部９と連結され、右把持基部９は、把持され、右押込み棒８に対して押込みまたは引出し圧力を加えるように構成される。
【００１６】
シリンダ１の外側には、光信号または音信号を送受信または誘起することが可能な器具または機器である移動距離送受信部１０が、間隔を置いて少なくとも２つ配置され、外部からの電圧によって動作する。また、圧力軸６の元の距離と変化後の距離との差異である距離を測定し、その距離データを用いて、シリンダ１の内側中空部２に装填される測定対象物３の容積または密度を計算する表示部または機器制御部がさらに装着されている。
【００１７】
シリンダ１の別の部分には、シリンダ１の内側中空部２の内部圧力を制御するための内部圧力弁１１が、少なくとも１つ備えられている。
【００１８】
図２に、測定対象物３を装填する内側中空部２または壁状シートで両側に分離された内側中空部２を有する長尺管であるシリンダ１を備える、本発明の他の特徴による液体不使用型の容積測定装置および密度計が示されている。
【００１９】
シリンダ１の左開放端には、内側中空部２に装填された空気または測定対象物３が出ていくのを防止する左ドア４が備えられている。
【００２０】
シリンダ１の右開放端には、内側中空部２に装填された空気または測定対象物３が出ていくのを防止する右ドア５が備えられている。
【００２１】
シリンダ１の内側中空部２の別の部分には、いくらかの厚みを有する内部分離エッジ１２が備えられ、このエッジは、シリンダ１の内側中空部２に挿入される圧力軸６の代わりに設けられる。
【００２２】
内部分離エッジ１２は、シリンダ１の内側中空部２に配置された棒またはシートまたはエッジであり、シリンダ１の内側中空部２内の空間を、左内側中空部１３と右内側中空部１４とに分離する。
【００２３】
シリンダ１の外に配置された右押込み棒８の外側には、右前後移動棒１５の一端が取り付けられている。
【００２４】
右前後移動棒１５は、屈曲した長尺棒であり、一方の端部がシリンダ１の外にある右押込み棒８の外側に取り付けられ、もう一方の端部が右移動測定部１６に取り付けられる。
【００２５】
右移動測定部１６は、シリンダ１の右側に装着され、外部からの電圧によって動作する器具または機器である。さらに、表示部または機器制御部を備え、右前後移動棒１５の一端との装着を支持し、右前後移動棒１５が右押込み棒８の前後移動から生じる力を受けている時の右前後移動棒１５の前後移動量を測定する。
【００２６】
シリンダ１の左内側中空部１３には、左圧力軸１７が挿入されている。
【００２７】
左圧力軸１７は、左押込み棒１８の内側端部とともに前後に動く軸であり、左押込み棒１８に対して作用する力による押込みまたは引出しを支持するように取り付けられている。
【００２８】
左押込み棒１８は、長尺棒であり、その内側端部が左ドア４から挿入されて左押込み軸１７の片側に取り付けられ、左押込み棒１８の外側端部から伝達される圧力からの押込みまたは引出しを支持する。
【００２９】
左押込み棒１８の外側端部には、プレートまたはハンドルバーである左把持基部１９が備えられ、左把持基部１９は、把持されるように構成されるまたは所望の部品に取り付けられ、左押込み棒１８を押し込むまたは引き出す圧力を加えるように構成される。
【００３０】
シリンダ１の外にある左押込み棒１８の外側には、左前後移動棒２０の一端が取り付けられている。
【００３１】
左前後移動棒２０は、屈曲した長尺棒であり、一方の端部がシリンダ１の外にある左押込み棒１８の外側に取り付けられ、もう一方の端部が左移動測定部２１に取り付けられる。
【００３２】
左移動測定部２１は、シリンダ１の左側に取り付けられ、外部からの電圧によって動作する器具または機器である。また、表示部または機器制御部をさらに備え、左前後移動棒２０の一端との装着を支持し、左前後移動棒２０が左押込み棒１８の前後移動から生じる力を受けている時の左前後移動棒２０の前後移動量を測定する。
【００３３】
右移動測定部１６は、右押込み棒８の元の距離と変化後の距離との間の差異である距離を測定する。左移動測定部２１は、左押込み棒１８の元の距離と変化後の距離との間の差異である距離を測定する。右移動測定部１６による変化距離データおよび左移動測定部２１による変化距離データを使って計算することにより、左内側中空部１３および右内側中空部１４内の測定対象物３の容積または密度を求める。
【００３４】
図３に、シリンダ１を備える本発明の他の特徴による液体不使用型の容積測定装置および密度計が示されている。シリンダ１は、中間中空シリンダ２２を形成するように分離され、測定対象物３（図示せず）が装填される左内側中空シリンダ２４を有する左シリンダ２３と、測定対象物３が装填される右内側中空シリンダ２６を有する右シリンダ２３に分割されている。
【００３５】
中間中空シリンダ２２の周囲には、左シリンダ２３と右シリンダ２５との間で空気を連通して、空気の吸排気を互いに移送する長尺管である空気連通シリンダ管２７が備えられている。
【００３６】
空気連通シリンダ管２７の周囲には、空気連通シリンダ管２７内の空気流を制御するための空気制御弁２８が、少なくとも１つ備えられている。
【００３７】
左シリンダ２３の一部には、左圧力管２９の一端が連結されている。
【００３８】
左圧力管２９は、一方の端部が左内側中空シリンダ２４と連結され、もう一方の端部が左圧力真空計３０の入口と連結された長尺管であり、左圧力真空計３０は、左内側中空シリンダ２４により制御された環境における空気圧を測定するものである。
【００３９】
左圧力真空計３０は、左導電線３２を介して左バッテリー３１から伝送される電力または外部電源から伝送される電力によって動作する計器であり、左内側中空シリンダ２４内の所望の環境における空気圧の測定結果を、左表示部３３を介して表示する。
【００４０】
左圧力真空計３０の一部には、本発明の液体不使用型の動作をユーザが制御するための押しボタンまたは揺動式や回転式の左制御部３４が、少なくとも１つ備えられている。
【００４１】
左圧力真空計３０の一部には、左圧力真空計３０の圧力の入出レベルに作用するまたは入出レベルを制御することができる左空気圧制御部３５が備えられ、この制御部は、左圧力真空計３０の圧力の入出レベルを測定または制御する。
【００４２】
左圧力管２９の別の部分には、左圧力管２９の内部に空気を流動させるための左空気圧排出弁３６の出口と連結された開放端が設けられている。
【００４３】
右シリンダ２５の一部には、右圧力管３７の一開放端が連結されている。
【００４４】
右圧力管３７は、一方の端部が右内側中空シリンダ２６と連結され、もう一方の端部が右圧力真空計３８の入口と連結された長尺管であり、右圧力真空計３８は、右内側中空シリンダ２６により制御された環境における空気圧を測定するものである。
【００４５】
右圧力真空計３８は、右導電線４０を介して右バッテリー３９から伝送される電力または外部電源から伝送される電力によって動作する計器であり、右内側中空シリンダ２６内の所望の環境における空気圧の測定結果を、右表示部４１を介して表示する。
【００４６】
右圧力真空計３８の一部には、本発明の液体不使用型の動作をユーザが制御するための押しボタンまたは揺動式や回転式の右制御部４２が、少なくとも１つ備えられている。
【００４７】
右圧力真空計３８の一部には、右圧力真空計３８の圧力の入出レベルに作用するまたは入出レベルを制御することができる右空気圧制御部４３が備えられ、この制御部は、右圧力真空計３８の圧力の入出レベルを測定または制御する。
【００４８】
右圧力管３７の別の部分には、右圧力管３７の内部に空気を流動させるための右空気圧排出弁４４の出口と連結された開放端が設けられている。
【００４９】
左圧力真空計３０は、所望の環境における左内側中空シリンダ２４内部の空気圧を測定し、変化後の結果を得る。右圧力真空計３８は、所望の環境における右内側中空シリンダ２６内部の空気圧を測定し、変化後の結果を得る。そして、これらの結果を使って計算することにより、左内側中空シリンダ２４または右内側中空シリンダ２６内に装填されている測定対象物３の容積または密度を求める。
【００５０】
（発明を実施するための最良の形態）
発明の開示に記載した通りである。
【図１】
0006272622.tif 000002
【図２】
0006272622.tif 000003
【図３】
0006272622.tif 000004